(57)【要約】【課題】  ボタンを押さなくてもエレベータ乗場でエレベータかごを容易に呼び、また所望の行先階を適宜選択することができ、また、エレベータかごが止まったとき、かご内でドアの開閉を指示することが可能なエレベータ装置を提供すること。【解決手段】  エレベータの乗り場１５あるいはエレベータかご内に設けられ、押すことにより呼びあるいはドアの開閉を指示するために設けられたボタン１７，１４を有するエレベータ装置であって、前記ボタン１７，１４に設けられ、これを引くことにより呼びあるいはドアの開閉を指示する機能を有する突起部２１を有する。【選択図】図２
2005104615.tif 000002
【特許請求の範囲】
【請求項１】
エレベータの乗り場あるいはエレベータかご内に設けられ、押すことにより呼びあるいはドアの開閉などを指示するために設けられたボタンを有するエレベータ装置であって、
前記ボタンに設けられ、これを引くことにより呼びあるいはドアの開閉を指示する機能を有する突起部を有することを特徴するエレベータ装置。
【請求項２】
エレベータの乗り場あるいはエレベータかご内に設けられ、押すことにより呼びあるいはドアの開閉などを指示するために設けられたボタンを有するエレベータ装置であって、
前記ボタンに設けられた突起部と、
この突起部に一端を固着されこれを引くことにより呼びあるいはドアの開閉を指示する機能を有する作動部を有することを特徴するエレベータ装置。
【請求項３】
エレベータの乗り場あるいはエレベータかご内に設けられ、押すことにより呼びあるいはドアの開閉などを指示するために設けられたボタンを有するエレベータ装置であって、
前記ボタンに設けられた突起部と、
この突起部に一端を固着された作動部と、
この作動部の他端に設けられ、これを引くことにより呼びあるいはドアの開閉を指示する機能を有する輪状体を有することを特徴するエレベータ装置。
【請求項４】
前記突起部は切込みを有し、前記作動部は両端を結ばれた輪状を有してこの作動部が前記切込みから外れないように固定される構造を有することを特徴とする請求項２又は３記載のエレベータ装置。
【発明の詳細な説明】
【技術分野】
【０００１】
本発明は、エレベータ装置に係わり、特にエレベータ乗り場に設けられるエレベータかごの呼びなどを指示するボタン装置の改良に関する。
【背景技術】
【０００２】
エレベータ装置には、エレベータかごの呼びあるいはエレベータが止まったときかご内でドアの開閉を指示するためのボタン装置が設けられる。
【０００３】
エレベータ装置１１では通常、例えば図１に示すように、エレベータかご１２内のかご内操作盤１３にドアの開閉を指示する開閉ボタン１４が設けられており、また、エレベータ乗り場１５には乗り場操作盤１６が設けられ、これにはエレベータかごを呼び行く方向を示すための呼びボタン１７が設けられている。
【０００４】
しかし、これらの開閉ボタン１４や呼びボタン１７は、従来から押しボタンとなっており、手が塞がっておりボタンが押せない人、盲目で盲導犬を連れている人、ボタンに手が届かない人など、ボタンを押せない状況にある人にとって、ドアの開閉をエレベータ装置に指示し、あるいはエレベータかごを呼ぶことなどの操作は、困難であった。
【発明の開示】
【発明が解決しようとする課題】
【０００５】
本発明は、上記のような従来のエレベータ装置の問題点に鑑みてなされたもので、ボタンを押さなくてもエレベータ乗場でエレベータかごを容易に呼び、また所望の行先階を適宜選択することができ、また、エレベータかごが止まったとき、かご内でドアの開閉を指示することが可能なエレベータ装置を提供することを目的とする。
【課題を解決するための手段】
【０００６】
本発明の第１の請求項によれば、エレベータの乗り場あるいはエレベータかご内に設けられ、押すことにより呼びあるいはドアの開閉などを指示するために設けられたボタンを有するエレベータ装置であって、前記ボタンに設けられ、これを引くことにより呼びあるいはドアの開閉を指示する機能を有する突起部を有することを特徴するエレベータ装置を提供する。
【０００７】
本発明の第２の請求項によれば、エレベータの乗り場あるいはエレベータかご内に設けられ、押すことにより呼びあるいはドアの開閉などを指示するために設けられたボタンを有するエレベータ装置であって、前記ボタンに設けられた突起部と、この突起部に一端を固着されこれを引くことにより呼びあるいはドアの開閉を指示する機能を有する作動部を有することを特徴するエレベータ装置を提供する。
【０００８】
本発明の第３の請求項によれば、エレベータの乗り場あるいはエレベータかご内に設けられ、押すことにより呼びあるいはドアの開閉などを指示するために設けられたボタンを有するエレベータ装置であって、前記ボタンに設けられた突起部と、この突起部に一端を固着された作動部と、この作動部の他端に設けられ、これを引くことにより呼びあるいはドアの開閉を指示する機能を有する輪状体を有することを特徴するエレベータ装置を提供する。
【０００９】
本発明の第４の請求項によれば、前記突起部は切込みを有し、前記作動部は両端を結ばれた輪状を有してこの作動部が前記切込みから外れないように固定される構造を有することを特徴とする請求項２又は３記載のエレベータ装置を提供する。
【発明の効果】
【００１０】
本発明によれば、ボタンを押さなくてもエレベータ乗場でエレベータかごを容易に呼び、また所望の行先階を適宜選択することができ、また、エレベータかごが止まったとき、かご内でドアの開閉を指示することが可能なエレベータ装置を得ることができる効果が得られる。
【発明を実施するための最良の形態】
【００１１】
以下、本発明の実施形態について図面を用いて説明する。本発明の第１の実施形態について説明する。図２（ａ）（ｂ）（ｃ）は、本発明の第１の実施形態の上記エレベータかごの乗り場に設けられた呼びボタンの正面図、拡大図、および側面図である。
【００１２】
例えば、エレベータ装置の乗場操作盤１６に設けられる呼びボタン１７は、図２（ｂ）（ｃ）に示すように、その正面中央に、突起部２１を有する構造となっており、この突起部を引いても押したときと同じように作動して、エレベータかごを呼ぶことが可能となっている。
【００１３】
エレベータの乗り場でボタン１７を押すことができない人は、このボタン１７に設けられている突起部２１を指で挟んで引くことにより、エレベータかごを呼ぶことができ、しかも行きたい昇降方向を指示することができる。
【００１４】
次に本発明の第２の実施形態について説明する。図３（ａ）（ｂ）（ｃ）はこの実施形態の正面図、側面図、使用状態を示す図である。この実施形態では、呼びボタン１７に設けられた突起部３１は、上方に切込み３２を有する鉤状となっており、その切込み３２には、輪状に結ばれたひも３３が掛けられている。なおひも３３は、同様な動作が可能であるならば、ワイヤーや金具であっても構わない。
【００１５】
本発明のこの実施形態によれば、エレベータ乗り場の呼びボタン１７に手の届かない人３５であっても、上記ひも３３を引くことにより、エレベータかごの呼び及び昇降方向をエレベータ装置に指示することが可能である。
【００１６】
次に本発明の第３の実施形態について説明する。図４（ａ）（ｂ）（ｃ）は、この実施形態の正面図、側面図、使用状態を示す図である。この実施形態では、呼びボタン１７に設けられた突起部４１は、上方に切込み４２を有する鉤状となっており、その切込み４２には、環状のひも４３が掛けられ、さらにこのひも４３には難燃性のリング４４が取り付けられている。このリング４４の形状はボタンの用途によって変えられる。
【００１７】
この実施形態によれば、図４（ｃ）に示すように、人４５が盲導犬４６を引いている場合であっても盲導犬４６が上記リング４４を咥えて引くことによって、エレベータ乗り場で呼びボタン１７を機能させることができ、したがってエレベータかごの呼び、及び昇降方向をエレベータ装置に指示することが可能である。
【００１８】
この実施形態によれば、盲導犬などもボタンを作動させることができる利点がある。この実施形態において、リング４４でなくても、輪状体であればよい。
【００１９】
なお、例えば上記第２の実施形態において、図５に示すように突起部３１の切込み３２に、プレート５１を設け、ひもが外れないようにばね５２でこのプレート５１を押す状態にしておくことも可能である。上記第３の実施形態においても同様に突起部の切込みにプレートとばねを設けることができる。
【００２０】
また、このようにプレートとばねだけでなく、ひもが外れないようにするためにはどのような方法でひもを突起部に取り付けてもよい。例えば突起部に貫通孔を設けてその中にひもを通すようにしてもよい。またひもを輪状にしなくとも一端を前記突起部に取り付ければよい。
【００２１】
上記のようにすれば、突起部３１に設けたひもが、外れることがないという利点がある。
【００２２】
また、ひもでなく他のもの例えば、棒などの一端を突起部に取り付けるようにしてもよい。
【００２３】
ところで、上記実施形態では、乗り場の呼びボタンに本発明を適用した場合について説明したが、エレベータかご内のかご内操作盤に設けられる開閉ボタンについても同様に本発明を適用することが可能である。
【００２４】
また、所望の行先階をかご内で選択する場合には、行先階の階床ボタン毎にリングもしくはひもが設けられていても構わない。この場合には階床ボタンは横方向に並べられていることが望ましい。また、行先階を選択する方法としては、ひもやリングなどを引いた回数に応じて、行先階を登録することも可能である。この場合には、引いた回数に対応する階床ボタンが点滅、点灯もしくは音声案内を行うことで、利用者に対して行先階を認知させることができる。
【００２５】
また、緊急時の連絡を行う場合にも、専用のひももしくはリングを設けてあっても構わない。
【図面の簡単な説明】
【００２６】
【図１】本発明が適用されるエレベータ装置の構成を示す図。
【図２】本発明の第１の実施形態の構造を示す図。
【図３】本発明の第２の実施形態の構造を示す図。
【図４】本発明の第３の実施形態の構造を示す図。
【図５】本発明の第２の実施形態における変形例の構造を示す図。
【符号の説明】
【００２７】
１１・・・エレベータ装置、
１２・・・エレベータかご、
１３・・・かご内操作盤、
１４・・・開閉ボタン、
１５・・・エレベータ乗り場、
１６・・・乗り場操作盤、
１７・・・呼びボタン、
２１，３１，４１・・・突起部、
３２，４２・・・切込み、
３３，４３・・・ひも、
３５，４５・・・人、
４４・・・リング、
４６・・・盲導犬、
５１・・・プレート、
５２・・・ばね。
【図１】
2005104615.tif 000003
【図２】
2005104615.tif 000004
【図３】
2005104615.tif 000005
【図４】
2005104615.tif 000006
【図５】
2005104615.tif 000007